(57)【要約】【課題】薪ストーブの煙突から排出される臭いを低減させることが可能な薪ストーブ用消臭装置を提供する。【解決手段】薪ストーブ用消臭装置１を、薪を燃焼させる燃焼室６２を備えたストーブ本体６１に形成された煙突接続部６５に一端が接続され、他端が煙突７０に接続される管状の連結部１０と、連結部１０の少なくとも一部と熱交換可能に接続されており、内部に水を収容可能な密閉容器状の消臭用水槽２０と、消臭用水槽２０に設けられた給水口２１と、給水口２１を開閉可能に閉鎖している給水蓋２２と、消臭用水槽２０と連結部１０との隔壁２３の上部を貫通して消臭用水槽２０と連結部１０とを連通させている連通口２４とを具備する構成とする。【選択図】図１
2016020787.tif 000002
【特許請求の範囲】
【請求項１】
薪を燃焼させる燃焼室を備えたストーブ本体に形成された煙突接続部に一端が接続され、他端が煙突に接続される管状の連結部と、
該連結部の少なくとも一部と熱交換可能に接続されており、内部に水を収容可能な密閉容器状の消臭用水槽と、
該消臭用水槽に設けられた給水口と、
該給水口を開閉可能に閉鎖している給水蓋と、
前記消臭用水槽と前記連結部との隔壁の上部を貫通して前記消臭用水槽と前記連結部とを連通させている連通口と
を具備することを特徴とする薪ストーブ用消臭装置。
【請求項２】
前記隔壁の前記連結部側の壁面において前記連通口の下方に設けられており、上方に開口している受皿を更に具備する
ことを特徴とする請求項１に記載の薪ストーブ用消臭装置。
【請求項３】
前記消臭用水槽は前記連結部の一部と熱交換可能に接続されているものであり、且つ、
前記消臭用水槽と対向して前記連結部と熱交換可能に接続されており、上方に開放している箱状の加湿用水槽を更に具備する
ことを特徴とする請求項１または請求項２に記載の薪ストーブ用消臭装置。
【発明の詳細な説明】
【技術分野】
【０００１】
本発明は、薪ストーブの煙突から排出される排気の臭いを低減させるための薪ストーブ用消臭装置に関するものである。
【背景技術】
【０００２】
燃料としての薪を燃焼させる燃焼室、及び燃焼室内で薪を燃焼することによって加熱される天板部を備えているストーブ本体と、ストーブ本体から延びており燃焼室と連通している煙突とを備えた薪ストーブが周知である。薪ストーブは、ストーブ本体の燃焼室内で薪を燃焼させることによって建物内を暖房することができると共に、加熱された天板部に薬缶、鍋、或いはフライパン、等を載置することによってお湯を沸かしたり調理したりすることができる。薪の燃焼によって発生した煙やガス等は、煙突によって建物外へ排出している。
【０００３】
この薪ストーブとして、ストーブ本体における燃焼室と煙突との間に、酸化触媒を配置した第二燃焼室（キャタリティックコンバスター）を備えた薪ストーブが提案されている（特許文献１）。特許文献１の技術によると、燃焼室内で薪を燃焼させた時に発生した煙やガス等に含まれる未燃焼ガスを、第二燃焼室内の酸化触媒を通すことによって燃焼（二次燃焼）させることができ、薪の熱効率を高めることができると共に、煙突から一酸化炭素や黒煙等が排出され難い薪ストーブとすることができる。
【０００４】
しかしながら、特許文献１の技術では、煙突から排出される煙を少なくすることができるものの、薪の燃焼によって発生する煙やガス等に含まれている臭いを低減させることができなかった。従って、住宅地等の建物に薪ストーブを設置した場合、薪ストーブの煙突から排出された臭いによって、風下側の住宅に迷惑をかけてしまうおそれがあった。そのため、住宅地等では薪ストーブを設置したくても、臭いの問題のために設置を諦めてしまうことがあった。
【先行技術文献】
【特許文献】
【０００５】
【特許文献１】特開２０００−４６３３４号公報
【発明の概要】
【発明が解決しようとする課題】
【０００６】
そこで、本発明は、上記の実情に鑑み、薪ストーブの煙突から排出される臭いを低減させることが可能な薪ストーブ用消臭装置の提供を課題とするものである。
【課題を解決するための手段】
【０００７】
上記の課題を解決するため、本発明にかかる薪ストーブ用消臭装置は、「薪を燃焼させる燃焼室を備えたストーブ本体に形成された煙突接続部に一端が接続され、他端が煙突に接続される管状の連結部と、該連結部の少なくとも一部と熱交換可能に接続されており、内部に水を収容可能な密閉容器状の消臭用水槽と、該消臭用水槽に設けられた給水口と、該給水口を開閉可能に閉鎖している給水蓋と、前記消臭用水槽と前記連結部との隔壁の上部を貫通して前記消臭用水槽と前記連結部とを連通させている連通口とを具備する」ものである。
【０００８】
「管状の連結部」が「煙突接続部に一端が接続される」構成としては、連結部が煙突接続部に直接接続される構成、切断された煙突など管状の部材を介して、連結部が煙突接続部に接続される構成、を例示することができる。
【０００９】
「消臭用水槽」が「連結部の少なくとも一部と熱交換可能に接続されて」いる構成としては、直方体状の連結部と直方体状の消臭用水槽とが側面の一つを介して接続されており、連結部の側周面の一部としての一つの側面を介して連結部と消臭用水槽との間で熱交換がなされる構成、円筒状の連結部の周囲にドーナツ形状の消臭用水槽が設けられることにより、連結部の側周面の全部が消臭用水槽と接続されており、その側周面の全部を介して連結部と消臭用水槽との間で熱交換がなされる構成、を例示することができる。また、「隔壁」としては、連結部と消臭用水槽が共有している一つの側面によって一つの隔壁が形成されている構成、連結部と消臭用水槽のそれぞれの側面が重畳して一つの隔壁が形成されている構成、連結部と消臭用水槽のそれぞれの側面の間に断熱空間が設けられており、連結部の側面、断熱空間、及び消臭用水槽の側面により隔壁が形成されている構成を例示することができる。
【００１０】
「給水蓋」としては、「本体に対して蝶番を用いて取付けられている蓋」、「本体に対してスライド可能に取付けられている蓋」、「本体に対して着脱可能とされている蓋」、を例示することができる。なお、給水蓋は給水口を閉鎖した時に密閉性を高めるためのパッキングを備えることにより、閉鎖された給水口から本体内に外気が流入するのを低減させることができる。
【００１１】
消臭用水槽内に収容（供給）される「水」としては、「水道水」、「芳香剤やアロマ油等を含んだ水」、「煙やガス等に含まれる臭いの成分と化学反応して消臭させる消臭剤を含んだ水」、を例示することができる。
【００１２】
薪ストーブのストーブ本体には、煙突が最初から固定的に接続されているのではなく、煙突を接続して燃焼室と煙突とを連通させるための煙突接続部が形成されているのが一般的である。本発明の薪ストーブ用消臭装置は、この煙突接続部と煙突との間に取り付けて使用する。具体的には、連結部の一端を煙突接続部に接続し、他端を煙突に接続する。これにより、ストーブ本体の燃焼室と煙突とは、管状の連結部を介して連通するため、薪の燃焼により燃焼室で加熱された空気は、連結部を流通してから煙突に流入する。
【００１３】
従って、連結部に接続されている消臭用水槽に水を収容しておくと、連結部を流通する加熱された空気によって消臭用水槽が加熱され、内部の水が蒸発して水蒸気が発生する。この際、消臭用水槽の給水口が給水蓋で閉鎖されていれば、密閉容器状の消臭用水槽側からは水蒸気は排出されない。一方、連結部内は薪の燃焼によって加熱された空気が煙突内を上昇することにより、負圧となっている。このため、消臭用水槽内で発生した水蒸気は、吸引されるように連通口から連結部に流入し、更に煙突内を上昇する。
【００１４】
煙突内を流通する水蒸気、及びその一部が凝縮して生成した微細な水滴は、臭いの成分を含んだ煙やガス等に接触するとこれらを吸着し、その状態で煙突から排出される。従って、臭いを感じ難いものとすることができ、煙突から排出される臭気の問題を低減することができる。また、給水口を給水蓋により閉鎖しておけば、外気が消臭用水槽を介して連結部に流入することがないため、煙突内の水蒸気の量が相対的に下がるおそれが少なく、十分に臭い成分を吸着させることができる。
【００１５】
本発明にかかる薪ストーブ用消臭装置は、上記構成に加え、「前記隔壁の前記連結部側の壁面において前記連通口の下方に設けられており、上方に開口している受皿を更に具備する」ものとすることができる。
【００１６】
「受皿」の形状としては、隔壁における連結部側の壁面に、壁面の全長に亘る長さの断面Ｌ字形の部材が取り付けられており、壁面と共に上方に開放した断面コ字形の受皿を形成している構成、平板状の板材が壁面の全長に亘って壁面から斜め上方に延出しており、壁面と共に断面Ｖ字形の受皿を形成している構成、を例示することができる。
【００１７】
本構成の薪ストーブ用消臭装置は、消臭用水槽に水を供給する際に、万一水を多量に供給して連通口から水が連結部側に溢れたとしても、水は受皿に溜まるため、燃焼室に流れ落ちて薪を濡らすおそれが低減されている。なお、受皿に溜まった水は、薪ストーブを使用した際に、薪の燃焼によって発生した熱により加熱され蒸発する。
【００１８】
また、本発明にかかる薪ストーブ用消臭装置は、上記構成に加え、「前記消臭用水槽は前記連結部の一部と熱交換可能に接続されているものであり、且つ、前記消臭用水槽と対向して前記連結部と熱交換可能に接続されており、上方に開放している箱状の加湿用水槽を更に具備する」ものとすることができる。
【００１９】
「上方に開放している箱状」の加湿用水槽としては、密閉容器状であり、その上面に貫通する孔部が設けられている構成、上面を有さない有底筒状の構成、を例示することができる。また、上面に貫通する孔部が設けられている場合、孔部を開閉可能に閉鎖する蓋部を備えていても良く、更に蓋部を貫通する孔部を備えていても良い。
【００２０】
「加湿用水槽」が「消臭用水槽と対向して連結部と熱交換可能に接続されて」いる構成は、連結部と加湿用水槽とが側壁を介して接続されており、その側壁を介して連結部と加湿用水槽との間で熱交換がなされる構成とすることができ、側壁としては、連結部と加湿用水槽が共有している一つの側面によって一つの側壁が形成されている構成、連結部と加湿用水槽のそれぞれの側面が重畳して一つの側壁が形成されている構成、連結部と加湿用水槽のそれぞれの側面の間に断熱空間が設けられており、連結部の側面、断熱空間、及び加湿用水槽の側面により側壁が形成されている構成を例示することができる。
【００２１】
本構成の薪ストーブ用消臭装置では、加湿用水槽が消臭用水槽と対向するように連結部に接続されている。このような構成により、消臭用水槽及び加湿用水槽それぞれに供給する水の量によって、両者の重量バランスを取り易く、薪ストーブに取り付けた薪ストーブ用消臭装置の姿勢を安定させることができる。加えて、薪ストーブ使用時には加湿用水槽に収容された水が連結部を介して加熱されて蒸発し、発生した水蒸気が上方に開放している加湿用水槽から排出されるため、室内を加湿することができる。
【発明の効果】
【００２２】
以上のように、本発明の効果として、薪ストーブの煙突から排出される臭いを低減させることが可能な薪ストーブ用消臭装置を、提供することができる。
【図面の簡単な説明】
【００２３】
【図１】本発明の一実施形態である薪ストーブ用消臭装置を取り付けた薪ストーブの正面図である。
【図２】図１の薪ストーブの側面図である。
【図３】図１の薪ストーブ用消臭装置の平面図である。
【発明を実施するための形態】
【００２４】
以下、本発明の一実施形態である薪ストーブ用消臭装置（以下、単に「消臭装置」と称することがある）について、図１乃至図３を用いて説明する。
【００２５】
本実施形態の消臭装置１は、薪ストーブ６０に取り付けて使用するものであり、薪を燃焼させる燃焼室６２を備えたストーブ本体６１に形成された煙突接続部６５に一端が接続され、他端が煙突７０に接続される管状の連結部１０と、連結部１０の一部と熱交換可能に接続されており、内部に水を収容可能な密閉容器状の消臭用水槽２０と、消臭用水槽２０に設けられた給水口２１と、給水口２１を開閉可能に閉鎖している給水蓋２２と、消臭用水槽２０と連結部１０との隔壁２３の上部を貫通して消臭用水槽２０と連結部１０とを連通させている連通口２４とを具備している。
【００２６】
また、消臭装置１は、隔壁２３の連結部１０側の壁面において連通口２４の下方に設けられており、上方に開口している受皿２５を具備している。更に、消臭装置１は、消臭用水槽２０と対向して連結部１０と熱交換可能に接続されており、上方に開放している箱状の加湿用水槽４０を具備している。なお、本実施形態では、連結部１０、消臭用水槽２０、及び加湿用水槽４０は一体化されている。
【００２７】
まず、本実施形態の消臭装置１が取り付けられる薪ストーブ６０について説明する。図１及び図２に示すように、薪ストーブ６０のストーブ本体６１は直方体状であり、その上面に、薬缶や鍋等を載置し加熱することができる天板部６３を備えている。また、ストーブ本体６１の正面及び左側面には扉６４ａ，６４ｂが設けられており、扉６４ａまたは扉６４ｂを開けて燃焼室６２に薪を供給することができる。
【００２８】
煙突接続部６５はストーブ本体６１の背面から延出して上方に屈曲した円筒状であり、その内径は同じく円筒状である煙突７０の外径と等しい。このような構成により、従来は、煙突７０の下端を煙突接続部６５に挿入することにより、ストーブ本体６１に煙突７０を直接接続して薪ストーブ６０を使用していた。これに対し、本実施形態の消臭装置１は、煙突７０と煙突接続部６５との間に接続して使用する。
【００２９】
消臭装置１の連結部１０は、図３に示すように直方体の上面及び底面にそれぞれ貫通する孔部１１，１４が設けられることにより、略四角筒状に形成されている。上面の孔部１１は円形で煙突７０の外径と内径が等しく、孔部１１の周縁から円環状の上接続壁１２が上方に延出している。これにより、煙突７０の下端を上接続壁１２に挿入して、連結部１０と煙突７０とを接続することができる。また、孔部１１の内周から内側に向かって複数の円弧状の上当接片１３が延出している。ここでは、等角度間隔に四つの上当接片１３が設けられている例を図示している。これにより、煙突７０を上接続壁１２に挿入する際に、煙突７０の下端が上当接片１３に当接するため、それ以上の挿入が規制されると共に、連結部１０によって煙突７０を安定的に支持することができる。
【００３０】
底面の孔部１４は円形で、外径が煙突接続部６５の内径と等しく、孔部１４の周縁から円環状の下接続壁１５が下方に延出している。これにより、下接続壁１５を煙突接続部６５に挿入して、連結部１０と煙突接続部６５とを接続することができる。
【００３１】
消臭用水槽２０は直方体状であり、図１において連結部１０の左側面に接続されている。従って、本実施形態では、消臭用水槽２０の側面と連結部１０の側面とが重畳して一つの隔壁２３を形成している。消臭用水槽２０の上面には、長方形の給水口２１が設けられている。給水口２１は、給水口２１より大きい長方形の平板状の給水蓋２２によって開閉可能である。給水蓋２２は、一方が蝶番２６によって回動自在に上面に固定されており、他方に取っ手２７が設けられている。
【００３２】
隔壁２３の上部には複数の連通口２４が間隔をあけて列設されている。隔壁２３において連結部１０側の壁面には、壁面の全長に亘る長さの断面Ｌ字形の部材が水平方向に取り付けられており、隔壁２３と共に上方に開口した断面コ字形の受皿２５を形成している。
【００３３】
加湿用水槽４０は、消臭用水槽２０と同一の大きさの直方体状であり、その側面の一つを、連結部１０において消臭用水槽２０と接続された側面と対向する側面に重畳させて、連結部１０に接続されている。加湿用水槽４０は、上面に設けられた給水口４１によって上方に開放している。給水口４１は長方形であり、給水口４１より大きい長方形の平板状の給水蓋４２によって開閉可能である。給水蓋４２は、一方が蝶番４４によって回動自在に上面に固定されており、他方に取っ手４５が設けられている。加えて、給水蓋４２には複数のスリット状の孔部４３が貫通して設けられている。
【００３４】
消臭装置１は、その上面、すなわち、消臭用水槽２０の上面、連結部１０の上面、及び加湿用水槽４０の上面で構成される面の周縁から、上方に向かって延出した周壁部５０を有している。これにより、消臭用水槽２０、または加湿用水槽４０に水を供給する際に消臭装置１の上面に水がこぼれても、周壁部５０が障壁となるため、ストーブや床を濡らすおそれが低減されている。
【００３５】
また、消臭装置１は、連結部１０の底面における孔部１４の周縁に取り付けられた複数の導風板５１を備えている。それぞれの導風板５１は、孔部１４の周縁から内側上方に向かって傾斜していると共に、径方向における同一方向に傾斜しており、全体として旋回する羽根のような形態を呈している。本実施形態では、四枚の平板状の導風板５１が、孔部１４の周縁に等角度間隔で取り付けられている。また、旋回の方向は、上面側から見て時計回りである。
【００３６】
次に、消臭装置１の取り付けについて説明する。消臭装置１は、薪ストーブ６０の煙突接続部６５と煙突７０との間に取り付けて使用するものであり、上述のように、消臭装置１の下接続壁１４を煙突接続部６５に挿入し、消臭装置１の上接続壁１２に煙突７０を挿入する。以上の簡易な作業により、消臭装置１を薪ストーブ６０に取り付けることができる。なお、煙突７０は、先端が屋外で開口するように配置される。
【００３７】
次に消臭装置１の使用について説明する。消臭用水槽２０に水を収容させた状態で薪ストーブ６０の燃焼室６２内で薪を燃焼させると、連結部１０を流通する加熱された空気によって消臭用水槽２０が加熱され、内部の水が蒸発して水蒸気が発生する。この際、消臭用水槽２０の給水口２１を給水蓋２２で閉鎖しておくことにより、水蒸気は密閉容器状の消臭用水槽２０側からは排出されない。そして、水蒸気は、加熱された空気が煙突７０内を上昇することにより負圧となっている連結部１０内に吸引されるように連通口２４から連結部１０に流入し、更に煙突７０内を上昇する。ここで、加熱された空気は、導風板５１に案内されて内側に向かって旋回しながら連結部１０を上昇する。その結果、加熱された空気の流路が狭められる絞り効果によって流速が増加し、連結部１０内がより負圧となる。これにより、連通口２４を介して消臭用水槽２０から連結部１０に水蒸気がより流入しやすく、煙突内に流入する水蒸気の量を増加させることができる。
【００３８】
煙突７０内を流通する水蒸気、及びその一部が凝縮して生成した微細な水滴は、臭いの成分を含んだ煙やガス等に接触するとこれらを吸着し、その状態で煙突７０から排出される。従って、臭いを感じ難いものとすることができ、煙突から排出される臭気の問題を低減することができる。また、給水口２１を給水蓋２２により閉鎖しておけば、外気が消臭用水槽２０を介して連結部１０に流入することがないため、煙突７０内の水蒸気の量が相対的に下がるおそれが少なく、十分に臭い成分を吸着させることができる。
【００３９】
消臭用水槽２０に水を供給する際、万一水を大量に供給して連通口２４から水が連結部１０側に溢れたとしても、本実施形態の消臭装置１は受皿２５を備えているため、水が燃焼室６２に流れ落ちて薪を濡らすおそれが低減されている。
【００４０】
本実施形態の消臭装置１には、同一形状である消臭用水槽１０と加湿用水槽４０とが、連結部１０を挟んで対向して備えられている。このため、消臭用水槽２０に供給した量と同程度の水を加湿用水槽４０に供給することにより、消臭用水槽２０と加湿用水槽４０にかかる荷重をほぼ等しくして、消臭装置１を薪ストーブ６０によって安定的に支持させることができる。また、連結部１０を中心として同一形状の消臭用水槽１０と加湿用水槽４０とが左右対称であることにより、薪ストーブ６０に消臭装置１を取り付けた状態で、均整のとれた外観とすることができる。
【００４１】
また、連結部１０を流通する加熱された空気によって加湿用水槽４０が加熱され、内部の水が蒸発して水蒸気が発生する。加湿用水槽４０で発生した水蒸気は、孔部４３から排出されるため、室内を加湿することができる。本実施形態では、孔部４３が給水蓋４２に形成されているため、給水蓋４２を閉じた状態で、水蒸気を排出させることができる。加えて、本実施形態の孔部４３は、図３に示すように、細いスリット状であり、複数が給水蓋４２において均一に散在している。そのため、大きな孔部が設けられる場合に比べて、個々の孔部４３から排出される水蒸気量は少なく、むらを低減して室内を加湿することができる。
【００４２】
更に、煙突接続部６５がストーブ本体６１の背面から延出しているため、連結部１０はストーブ本体６１の背面側に位置し、その連結部１０に接続された消臭用水槽２０及び加湿用水槽４０は、図２に示すように、天板部６３の上方に位置していない。このため、天板部６３に薬缶や鍋等を載置する際に、消臭用水槽２０及び加湿用水槽４０が妨げにならない。
【００４３】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４４】
例えば、消臭用水槽または加湿用水槽の給水口を扇形とし、同じく扇形の給水蓋が、扇形における円弧の中心点を同一として回転可能に取り付けられている構成であっても良い。この場合は、給水蓋を回転させて給水口を開口させた状態で給水することができる。また、加湿用水槽においては、給水蓋の回転角度によって給水口の開口面積を変化させることにより、排出される水蒸気の量を調整することができる。
【００４５】
また、連結部の下接続壁の高さは、より高く設定することができる。或いは、下接続壁を切断された煙突など管状の部材に連結し、この部材を介して連結部を煙突接続部に接続することができる。これらの場合は、連結部及びこれに接続された消臭用水槽がより高く位置するため、煙突接続部がストーブ本体の上面から延出している場合であっても、薪ストーブの天板部の上方の空間を広く確保し、支障なく天板部の上に薬缶や鍋等を載置することができる。
【００４６】
加えて、上記では薪ストーブとして、薪を供給するための扉をストーブ本体の正面及び側面に備えているものを例示したが、そのような扉が天板部に設けられている薪ストーブもある。本発明の消臭用装置は、上述のように天板部の上方の空間を確保することが可能であるため、そのようなタイプの薪ストーブであっても、天板部の扉の開閉を妨げることがなく、薪を供給することができる。
【符号の説明】
【００４７】
１  薪ストーブ用消臭装置
１０  連結部
２０  消臭用水槽
２１  給水口
２２  給水蓋
２３  隔壁
２４  連通口
２５  受皿
４０  加湿用水槽
６０  薪ストーブ
６１  ストーブ本体
６２  燃焼室
６５  煙突接続部
７０  煙突
【図１】
2016020787.tif 000003
【図２】
2016020787.tif 000004
【図３】
2016020787.tif 000005